(57)【特許請求の範囲】
【請求項１】
磁気情報が記録されているカードを取り扱うカード処理装置であって、
装置本体の内部に設けられ、前記カードを搬送する第１の搬送手段と、
前記装置本体の前面側に前方へ突出するように設けられ、先端にカード挿入口を有し、前記カード挿入口から挿入されたカードを前記第１の搬送手段へ導くためのカード挿入部と、
前記カード挿入部の前記挿入口側の端部に当該挿入口と隣接して設けられた第２の搬送手段と、を備え、
前記第２の搬送手段は、前記カード挿入口から挿入されるカードおよび／または前記カード挿入口から排出されるカードを、間欠的に搬送することを特徴とするカード処理装置。
【請求項２】
請求項１に記載のカード処理装置において、
前記カード挿入口付近にカードを検知するための検知手段を設け、
前記第２の搬送手段は、前記検知手段がカードを検知したことに基づいて、当該カードを間欠的に搬送することを特徴とするカード処理装置。
【請求項３】
請求項２に記載のカード処理装置において、
前記検知手段は、前記第２の搬送手段とほぼ同じ位置に設けられていることを特徴とするカード処理装置。
【請求項４】
請求項１に記載のカード処理装置において、
上位装置と通信するための通信手段を備え、
前記第２の搬送手段は、前記通信手段が前記上位装置から指令を受信したことに基づいて、カードを間欠的に搬送することを特徴とするカード処理装置。
【請求項５】
請求項１に記載のカード処理装置において、
前記カード挿入口付近に、挿入されるカードが磁気カードか否かを判別する判別手段を設け、
前記第２の搬送手段は、前記判別手段が前記カードを磁気カードと判別したことに基づいて、当該カードを間欠的に搬送することを特徴とするカード処理装置。
【発明の詳細な説明】
【技術分野】
【０００１】
本発明は、磁気情報が記録されているカードを取り扱うカード処理装置に関するものである。
【背景技術】
【０００２】
銀行の現金自動預金支払機（以下、「ＡＴＭ」という。）などには、磁気情報が記録されている磁気カードを取り扱うカード処理装置が搭載されている。このカード処理装置では、カード挿入口から磁気カードが挿入されると、モータや搬送ローラ等の搬送手段により磁気カードを一定速度で搬送しながら、磁気ヘッドによってカードの磁気ストライプに記録されている磁気情報が読み取られる。また、カード処理装置は、情報の読み取りのほか、必要に応じて情報の書き込みも行う。そして、カードに対する読み取りや書き込みの処理が終了すると、搬送手段によりカードを外部へ排出する。
【０００３】
ところで、銀行などに設置されているＡＴＭにおいては、磁気カードのカード情報を不正に入手する目的で、ＡＴＭに搭載された真正なカード処理装置の前面に、偽読取装置が取り付けられる場合がある。この偽読取装置は、磁気カードから読み取った情報を記憶するメモリを備えている。利用者が、このような偽読取装置が取り付けられていることに気付かずに、あるいは、偽読取装置を真正なカード処理装置の一部と誤解して、磁気カードをその偽読取装置のカードスロットに挿入すると、磁気カードの情報が偽読取装置によって読み取られメモリに記憶される。一方、偽読取装置に挿入された磁気カードは、真正なカード処理装置へ搬送され、ここで本来のカード読取処理が行われる。この場合、磁気カードそのものが偽カードでない限り、ＡＴＭにおいては正常に処理が行われる。そして、カード処理が終了すると、真正なカード処理装置は磁気カードを排出し、偽読取装置のカードスロットを介して利用者に磁気カードが返却される。したがって、利用者としては、正常にカードが返却されるため、カード情報が不正に読み取られたことに気付きにくい。また、このカード返却時に偽読取装置によってカード情報が読み取られる場合もある。この後、偽読取装置を取り付けた者は、この装置をＡＴＭから取り外し、不正に読み取ったカード情報をメモリから読み出し、このカード情報に基づいてカードを偽造する。
【０００４】
以上のような偽読取装置によるカード情報の不正取得は、「スキミング」と呼ばれている。このスキミングを防止するための対策として、磁気カードの挿入時または排出時に、磁気カードを間欠的に搬送する技術が存在する（例えば、後記の特許文献１、特許文献２、非特許文献１参照）。また、磁気カードの間欠的な搬送を更に複雑にしてスキミングを困難にするために、磁気カードをランダムに間欠搬送する技術が存在する（例えば、後記の特許文献３参照）。さらに、磁気カードの取り込み時や排出時において、カードの一部がカードスロットから外部に突出している状態で、一時的に磁気カードの搬送を停止させる技術が存在する（例えば、後記の特許文献４参照）。一般に、磁気カードの磁気ストライプに記録されている情報を正確に読み取るためには、磁気ヘッドに対してカードを一定速度で連続的に移動させる必要があるが、上記のように磁気カードを間欠的に搬送したり一時停止させたりすることで、磁気ストライプから記録情報を正確に読み取ることが不可能となり、これによってスキミングによるカード情報の不正取得にある程度の歯止めをかけることができる。
【０００５】
【特許文献１】特開２００５−１２８６６８号公報
【特許文献２】特開２００４−１７１２０５号公報
【特許文献３】米国特許第６，４６０，７７１号明細書
【特許文献４】特開２００１−２２８９４号公報
【非特許文献１】J. Svigals:"Unauthorized Card Stripe Reading Inhibitor", IBM TECHNICALDISCLOSURE BULLETIN, vol. 26, No. 6, Nov. 1, 1983, page 2707 XP002145300, NewYork.
【発明の開示】
【発明が解決しようとする課題】
【０００６】
図２０は、ＡＴＭなどに搭載されるカード処理装置１００の一例を示す概略構成図である。２０はカード処理装置１００の本体、２１は本体２０の前面側に前方へ突出するように設けられたカード挿入部、２２はカード挿入部２１の先端に設けられ磁気カード５０が挿入されるカード挿入口、２３は磁気カード５０の挿入・排出を規制するシャッタ、２５〜２７は磁気カード５０を搬送する搬送ローラ、３０および３２〜３４は磁気カード５０を検出するセンサ、２は磁気カード５０に記録されている情報を読み取る磁気ヘッドである。このように、ＡＴＭなどに搭載されるカード処理装置１００は、一般にカード挿入部２１を備えている。このカード挿入部２１は、カード処理装置１００とＡＴＭなどの筐体２００とをつないだり、カード検出用のセンサ３０や、シャッタ２３などを組み込んだりするために、機能上必須となる部分である。このカード挿入部２１が存在する結果、カード挿入口２２から、カード挿入部２１を経て搬送ローラ２５に至るまで、数１０ｍｍの長さがあることになる。
【０００７】
ところで、磁気カード５０の磁気ストライプには、通常、カードの先端部から情報が記録される。図２１は、磁気カード５０がキャッシュカードの場合の情報記録形式を示した図である。５１は磁気ストライプ、５１ａは開始符号が記録された領域、５１ｂは有効データが記録された領域、５１ｃはダミーデータが記録された領域、５１ｄは終了符号が記録された領域である。有効データ記録領域５１ｂには、例えば、銀行番号・支店番号・口座番号・カード種別などの取引処理に必要なデータが記録されており、ダミーデータ記録領域５１ｃには、例えば「０００００…」のような意味のないデータが記録されている。ここで、磁気ストライプ５１にどのような情報を記録するかに関しては、金融機関においてある程度選択できるようになっているため、図２１（ａ）に示すように有効データの多い磁気カード５０（キャッシュカード）もあれば、図２１（ｂ）に示すように有効データの少ない磁気カード５０（キャッシュカード）もある。
【０００８】
したがって、上記のようなカード挿入部２１を備えたカード処理装置１００において、図２２に示すように、カード挿入口２２に偽読取装置（スキマー）ＳＫが取り付けられた場合、先行技術では、磁気カード５０の先端がセンサ３２で検出されるまで、搬送ローラ２５による間欠搬送が開始されないので、挿入された磁気カード５０が搬送ローラ２５に届く前に、磁気ストライプ５１上のａの範囲に記録されている情報が、偽読取装置ＳＫに内蔵された磁気ヘッドＨによりスキミングされてしまい、間欠搬送開始後におけるｂの範囲の情報のみがスキミングされないだけである。この結果、磁気カード５０に記録されている大部分の情報が読み取られてしまう。挿入部２１の長さ、挿入部２１から搬送ローラ２５までの距離、偽読取装置ＳＫの磁気ヘッドＨの位置によっては、磁気ストライプ５１の７〜８割の部分の情報を読み取られてしまうことになる。したがって、特に、図２１（ｂ）のような有効データ領域の少ない磁気カード５０の場合は、たとえカードの間欠搬送を行ったとしても、それ以前の時点で有効データの全てがスキミングされる結果となる。また、カード挿入時だけでなくカード排出時において、磁気カード５０が搬送ローラ２５を抜けた後、磁気カード５０を手で引き抜く時にも、同様の原理により、磁気カード５０に記録されている大部分の情報が読み取られてしまうことが起こる。
【０００９】
そこで本発明の課題は、磁気カードを間欠搬送する機能を備えたカード処理装置において、カード挿入口に取り付けられた偽読取装置によってカード情報が不正に取得されるのをより効果的に防止することにある。
【課題を解決するための手段】
【００１０】
本発明に係るカード処理装置は、磁気情報が記録されているカードを取り扱うカード処理装置であって、装置本体の内部に設けられ、カードを搬送する第１の搬送手段と、装置本体の前面側に前方へ突出するように設けられ、先端にカード挿入口を有し、カード挿入口から挿入されたカードを第１の搬送手段へ導くためのカード挿入部と、カード挿入部の挿入口側の端部に当該挿入口と隣接して設けられた第２の搬送手段とを備え、第２の搬送手段が、カード挿入口から挿入されるカードおよび／またはカード挿入口から排出されるカードを間欠的に搬送するようにしたものである。
【００１１】
このように、カード挿入口と隣接してカードを間欠的に搬送する第２の搬送手段を設けたことで、カードの挿入とほぼ同時にカードを間欠搬送することができる。このため、カード挿入口に偽読取装置が取り付けられていても、カードが第１の搬送手段に届くまでの間にカード情報がスキミングされるおそれは殆どない。また、カードを排出する場合も、カードが挿入口に至るのとほぼ同時にカードを間欠搬送することができるので、カードを手で引き抜く過程で偽読取装置によりカード情報がスキミングされるおそれは殆どない。
【００１２】
本発明における間欠的な搬送には、規則正しい周期での間欠搬送だけでなく、不規則な周期での間欠搬送も含まれる。また、一方向のみへの間欠搬送に限らず、一方向と他方向への動きを交互に反復しつつ一方向へ移動してゆくような搬送も、本発明でいう間欠的な搬送に含まれる。カードの取り込み時には、取り込み時間を短縮する上で、最初の段階でのみ間欠搬送を行うのが望ましいが、本発明は、カード取り込み時の最初から最後に至るまで間欠的な搬送を行うことを排除するものではない。同様に、カードの排出時には、排出時間を短縮する上で、最後の段階でのみ間欠搬送を行うのが望ましいが、本発明は、カード排出時の最初から最後に至るまで間欠的な搬送を行うことを排除するものではない。また、間欠搬送は、カード取り込み時とカード排出時のいずれか一方の場合にのみ行ってもよいし、両方の場合に行ってもよい。
【発明の効果】
【００１３】
本発明によれば、カード挿入部を備えたカード処理装置において、カード挿入口に偽読取装置が取り付けられても、カードの挿入時や排出時にカードに記録されている情報を偽読取装置で読み取ることが実質的に不可能となるので、有効データの少ない磁気カードであっても、スキミングをより効果的に防止することができる。
【発明を実施するための最良の形態】
【００１４】
図１は、本発明の第１実施形態に係るカード処理装置の概略構造を示す図である。図１において、１００はカード処理装置であって、例えばＡＴＭに搭載されている。２００はＡＴＭの筐体を示している。５０はこのカード処理装置１００で処理されるカードであって、図２のような磁気ストライプ５１を有する磁気カードからなる。２０はカード処理装置１００の本体、２１は本体２０の前面側に前方へ突出するように設けられたカード挿入部、２２はカード挿入部２１の先端に設けられカード５０が挿入されるカード挿入口である。２３はシャッタであって、後述するソレノイドにより図の上下方向に開閉し、カード挿入口２２から本体２０内部へのカード５０の進入、または本体２０内部からカード挿入口２２へのカード５０の排出を規制する。
【００１５】
２４〜２７はそれぞれ上下一対の搬送ローラであって、後述するモータの正転・逆転によりカード５０を図の左右方向に搬送する。搬送ローラ２５〜２７は本体２０の内部に設けられており、本発明における第１の搬送手段の一実施形態を構成する。また、搬送ローラ２４は、カード挿入部２１のカード挿入口２２側の端部に挿入口２２と隣接して設けられ、本発明における第２の搬送手段の一実施形態を構成する。
【００１６】
３１〜３４はカード検出用のセンサであって、上下一対の投光素子および受光素子を備えたフォトマイクロセンサから構成される。センサ３１はカード挿入部２１のカード挿入口２２付近において、搬送ローラ２４とほぼ同じ位置に設けられており、本発明における検知手段の一実施形態を構成する。センサ３２〜３４は本体２０の内部に設けられており、カード挿入口２２からみて、センサ３２は搬送ローラ２５の直前に、センサ３３は搬送ローラ２６の直前に、センサ３４は搬送ローラ２７の直後に、それぞれ配設されている。２は磁気ヘッドであって、カード５０の磁気ストライプ５１から磁気情報を読み取る。この磁気ヘッド２は、カード挿入口２２からみて、搬送ローラ２６の直後に配設されており、カード５０がローラ２６，２７によって搬送される過程で、磁気ストライプ５１の磁力の変化を検出することにより磁気情報を読み取る。
【００１７】
図３は、カード処理装置１００の電気的構成を示すブロック図である。図３において、１はカード処理装置１００の各部を制御する制御部であって、ＣＰＵ、ＲＯＭ、ＲＡＭ、および後記の制御回路等からなる。なお、ＲＯＭにはＣＰＵの動作プログラム等が記憶されており、ＲＡＭにはＣＰＵが各部を制御する制御データ等が読み書き可能に記憶される。２は図１で説明した磁気ヘッド、３は図１のセンサ３１〜３４を総括して表したセンサ、４は前述の搬送ローラ２４〜２７を回転させるモータである。制御部１は、モータ４の駆動を制御するためのモータ制御回路を備えている。この制御回路によりモータ４が正転駆動または逆転駆動され、これによって搬送ローラ２４〜２７が回転してカード５０を所定方向へ搬送する。５は前述のシャッタ２３を開閉するためのシャッタ用ソレノイドである。制御部１は、ソレノイド５の駆動を制御するためのソレノイド制御回路を備えている。この制御回路によりソレノイド５が駆動され、シャッタ２３の開閉が行われる。６は上位装置１０と相互に通信を行うための通信部であって、本発明における通信手段の一実施形態を構成する。上位装置１０は、例えばカード処理装置１００が搭載されているＡＴＭである。制御部１は、磁気ヘッド２がカード５０から読み取った情報を、通信部６を介して上位装置１０へ送信する。
【００１８】
図４ないし図６は、カード処理装置１００の動作手順を示すフローチャートである。各処理は制御部１のＣＰＵにより実行される。図４は全体の概略動作を示し、図５〜図６は部分的な詳細手順を示している。また、図７Ａ〜図８Ｂは、カード処理装置１００におけるカードの搬送状態を示す図である。以下、これらの図を参照して、カード処理装置１００の動作を説明する。
【００１９】
まず、図４に従い全体の概略動作を説明する。ここでは、上位装置１０がＡＴＭであって、カード処理装置１００はこのＡＴＭに搭載されているものとする。ＡＴＭにおいてカード５０による取引を行う場合、利用者が接客パネルで所定の操作をすると、上位装置１０からカード処理装置１００に対して処理開始の指令が送信され、通信部６がこの指令を受信する（ステップＳ１）。指令を受信すると、カード処理装置１００はカード５０を取り込み、取り込んだカードに記録されている情報の読み取りを行う（ステップＳ２）。そして、これらの処理が終わると、続いて、カード処理装置１００はカード５０の排出処理を行い（ステップＳ３）、排出が終わると一連の動作を終了する。
【００２０】
図５は、図４のステップＳ２における磁気カードの取込・読取処理の詳細な手順を示したフローチャートである。以下、この手順を説明する。制御部１は、カード挿入口２２に設けられたセンサ３１がＯＮしたかどうかを常時監視している（ステップＳ１１）。図７Ａ（ａ）は、カード挿入口２２へカード５０が挿入される前の状態を示しており、このときセンサ３１はＯＦＦの状態にある（ステップＳ１１：ＮＯ）。なお、本図では図１におけるＡＴＭの筐体２００の図示を省略してある（以下の図についても同様）。
【００２１】
次に、図７Ａ（ｂ）のように、利用者がカード挿入口２２へカード５０を挿入して、カード５０の先端（左端）がセンサ３１の位置まで達すると、センサ３１がカード５０を検知してＯＮとなり（ステップＳ１１：ＹＥＳ）、シャッタ用ソレノイド５が駆動されて、シャッタ２３が開く（ステップＳ１２）。これに続いて、モータ４が間欠的に正転駆動され、これによって搬送ローラ２４〜２７も間欠的に正回転する（ステップＳ１３）。この結果、カード５０は、カード挿入口２２へ挿入された直後から搬送ローラ２４により間欠的に搬送されながら、カード挿入部２１に取り込まれる。
【００２２】
このとき、制御部１のモータ駆動回路からモータ４へは、例えば図１８（ａ）に示したような制御量（駆動電圧）が与えられ、これによって、モータ４は図１９（ａ）に示したような間欠回転動作を行なう。図１９（ａ）の場合、モータ４は、１単位時間の間に１単位回転量だけ回転して、次の１単位時間の間は停止し、この動作が反復される。この結果、センサ３１の位置まで挿入されたカード５０は、間欠回転する搬送ローラ２４によって図の左方向に間欠的に搬送されて行く。そして、カード挿入部２１から本体２０の内部に取り込まれたカード５０は、図７Ａ（ｃ）に示したように、間欠回転する搬送ローラ２５によって引き続き左方向に間欠的に搬送されて行く。なお、カード５０が搬送ローラ２５の位置まで搬送される過程で、センサ３２がＯＮとなる。
【００２３】
次に、センサ３３がＯＮしたかどうかを判定する（ステップＳ１４）。図７Ｂ（ｄ）のように、カード５０がセンサ３３の位置まで搬送されると、センサ３３がカード５０を検知してＯＮとなり（ステップＳ１４：ＹＥＳ）、これに応答して、モータ４の駆動が間欠駆動から連続駆動に切り替えられ、モータ４は連続的に正転駆動される。これによって、搬送ローラ２４〜２７も連続的に正回転する（ステップＳ１５）。この結果、カード５０は、連続回転する搬送ローラ２５，２６によって図の左方向に連続的に搬送されて行く。続いて、センサ３２がＯＮからＯＦＦに変化したか否かを判定する（ステップＳ１６）。図７Ｂ（ｅ）のように、カード５０の後端（右端）がセンサ３２を通過すると、センサ３２はＯＮからＯＦＦとなり（ステップＳ１６：ＹＥＳ）、これに応答して、シャッタ用ソレノイド５がシャッタ２３を閉じる（ステップＳ１７）。そして、図７Ｂ（ｆ）のように、カード５０が磁気ヘッド２の位置へ至ると、磁気ヘッド２によってカード５０の磁気情報（磁気ストライプ５１に記録されている情報）の読み取りが開始される（ステップＳ１８）。
【００２４】
その後、カード５０は図７Ｃ（ｇ）のように、搬送ローラ２６，２７によって連続的に搬送されて行き、この搬送過程でカード５０の磁気情報が磁気ヘッド２により読み取られる。一方、制御部１はセンサ３４がＯＮしたか否かを判定する（ステップＳ１９）。図７Ｃ（ｈ）のように、カード５０がセンサ３４の位置まで搬送されると、センサ３４がカード５０を検知してＯＮとなり（ステップＳ１９：ＹＥＳ）、これに応答して、磁気ヘッド２による磁気情報読み取りは終了する（ステップＳ２０）。また、制御部１はセンサ３４がＯＮしたことで、カード５０がカード処理装置１００の奥まで搬送されたと判断し、モータ４を停止させる。これによって、搬送ローラ２４〜２７の回転も停止される（ステップＳ２１）。
【００２５】
なお、ステップＳ１４において、センサ３３がＯＮにならなければ（ステップＳ１４：ＮＯ）、センサ３１がＯＮしてから所定時間が経過したか否かを判定する（ステップＳ２２）。所定時間が経過してなければ（ステップＳ２２：ＮＯ）、ステップＳ１４へ戻って、センサ３３の状態を監視する。センサ３３がＯＮにならないまま（ステップＳ１４：ＮＯ）、所定時間が経過すると（ステップＳ２２：ＹＥＳ）、カード５０が本体２０の内部へ取り込まれなかったと判断して、シャッタ用ソレノイド５によりシャッタ２３を閉じ（ステップＳ２３）、処理を終了する。
【００２６】
以上のように、図５の手順においては、カード挿入口２２と隣接して設けた搬送ローラ２４により、カード挿入とほぼ同時にカード５０を間欠搬送するようにしているので、図９に示したように、カード挿入口２２に偽読取装置ＳＫが取り付けられていても、カード挿入時に偽読取装置ＳＫの磁気ヘッドＨによってスキミングされる情報は、カード５０が搬送ローラ２４に達するまでに読み取られる情報、すなわち、磁気ストライプ５１上のａの範囲に記録されているわずかな情報のみであり、範囲ｂに記録されている大部分の情報はスキミングされない。このため、カード５０が有効データの少ないカードであっても、カード挿入時のスキミングを極力防止することができる。
【００２７】
また、図５の手順においては、カード５０をカード処理装置の本体２０の内部に取り込む過程で、カード挿入口２２から挿入されたカード５０を最初は間欠的に搬送し、カード５０が本体２０内部のセンサ３３の位置まで搬送された後は、カード５０を連続的に搬送するようにしている。ここで、センサ３３の位置を、カード５０の磁気情報がスキミングされるおそれのない限界位置、すなわち、偽読取装置ＳＫによってカード５０の磁気情報を正常に取得できなくなるまでカード５０がカード挿入部２１に取り込まれたときの当該カード５０の先端（左端）位置に設定しておくと、磁気情報のスキミングのおそれがある状態では、カード５０を間欠的に搬送してスキミングを防止し、磁気情報のスキミングのおそれがない状態では、カード５０を連続的に搬送して、高速で本体２０内部に取り込むことができる。
【００２８】
なお、モータ４の駆動を停止した後、制御部１は、磁気ヘッド２がカード５０から読み取った情報を通信部６を介して上位装置１０へ送信する。上位装置１０では、受信したカード情報に基づいて所定の取引処理（例えば現金引出し）が行われる。そして、取引処理が終了すると、上位装置１０は処理の終了をカード処理装置１００へ通知する。この通知を通信部６が受信すると、制御部１は、カード５０の排出処理（図４のステップＳ３）を以下に説明する手順に従って実行する。
【００２９】
図６は、図４のステップＳ３における磁気カードの排出処理の詳細な手順を示したフローチャートである。排出処理が開始されると、制御部１はモータ４を連続的に逆転駆動し、これによって搬送ローラ２４〜２７も連続的に逆回転する（ステップＳ３１）。搬送ローラ２４〜２７が逆回転することによって、図８Ａ（ａ）の位置（図７Ｃ（ｈ）と同じ位置）にあったカード５０は、図８Ａ（ｂ）のように、搬送ローラ２６，２７によって右方向に連続的に搬送されて行く。次に、センサ３２がＯＮしたか否かを判定する（ステップＳ３２）。図８Ａ（ｃ）のように、カード５０の先端（右端）がセンサ３２の位置に至ると、センサ３２がカード５０を検知してＯＮとなり（ステップＳ３２：ＹＥＳ）、これに応答して、シャッタ用ソレノイド５がシャッタ２３を開く（ステップＳ３３）。これにより、カード５０はカード挿入口２２に向って搬送されて行く。
【００３０】
シャッタ２３が開いた後、制御部１は、センサ３１がＯＮしたか否かを判定する（ステップＳ３４）。図８Ｂ（ｄ）のように、カード５０がセンサ３１の位置まで搬送されると、センサ３１がカード５０を検知してＯＮとなる（ステップＳ３４：ＹＥＳ）。センサ３１がＯＮとなったことに応答して、モータ４の駆動が連続駆動から間欠駆動に切り替えられ、モータ４は間欠的に逆転駆動される。これによって、搬送ローラ２４〜２７も間欠的に逆回転する（ステップＳ３５）。この結果、カード５０は、間欠回転する搬送ローラ２４，２５によって図の右方向に間欠的に搬送されながら、図８Ｂ（ｅ）のように、カード挿入口２２から外部に排出されて行く。このときのモータ４の駆動は、前述した図１８（ａ）および図１９（ａ）と同じ態様で行われる。
【００３１】
ステップＳ３５で搬送ローラの間欠回転が開始された後、制御部１はセンサ３１がＯＮしてから所定時間が経過したかどうかを監視する（ステップＳ３６）。そして、所定時間が経過すると（ステップＳ３６：ＹＥＳ）、搬送ローラ２４〜２７の回転を停止し（ステップＳ３７）、シャッタ２３を閉じる（ステップＳ３８）。これにより、カード５０は、図８Ｂ（ｆ）のように、後端が一対の搬送ローラ２４により保持された状態で、カード挿入口２２から返却される。以上で、磁気カード５０を用いたＡＴＭでの一連の取引処理は完了する。
【００３２】
以上のように、図６の手順においては、カード挿入口２２と隣接して設けた搬送ローラ２４により、カード５０をカード挿入口２２からほぼ排出し終わるまで、間欠搬送するようにしているので、図９に示したように、カード挿入口２２に偽読取装置ＳＫが取り付けられていても、カード排出時に偽読取装置ＳＫの磁気ヘッドＨによってスキミングされる情報は、カード５０が搬送ローラ２４から離れた後に読み取られる情報、すなわち、磁気ストライプ５１上のａの範囲に記録されているわずかな情報のみであり、範囲ｂに記録されている大部分の情報はスキミングされない。このため、カード５０が有効データの少ないカードであっても、カード排出時のスキミングを極力防止することができる。
【００３３】
また、図６の手順においては、カード５０をカード処理装置本体２０の外部に排出する過程で、カード５０がカード挿入口２２付近に設けられたセンサ３１の位置へ搬送されるまでは、カード５０を連続的に搬送し、カード５０がセンサ３１の位置まで搬送された時点から、カード５０を間欠的に搬送するようにしている。ここで、センサ３１の位置を、カード５０の磁気情報がスキミングされるおそれのある限界位置、すなわち、偽読取装置ＳＫによってカード５０の磁気情報を正常に取得できるようになるときの当該カードの先端（右端）位置に設定しておくと、磁気情報のスキミングのおそれがない状態では、カード５０を連続的に搬送してカード排出までの時間を短縮し、磁気情報のスキミングのおそれがある状態では、カード５０を間欠的に搬送してスキミングを防止することができる。
【００３４】
このようにして、第１実施形態によれば、カード挿入部２１の存在によりカード挿入口２２から搬送ローラ２５までに距離がある場合でも、カード挿入口２２と隣接して設けた搬送ローラ２４によって、カード挿入とほぼ同時にカード５０の間欠搬送を開始することができるので、カード５０が搬送ローラ２５に至ってから間欠搬送を開始する従来のものと比べて、スキミングをより効果的に防止することができる。また、カード５０の磁気情報がスキミングされたとしても、図９と図２２とを比較すれば明らかなように、従来の場合（図２２）は、スキミング可能な範囲ａのほうがスキミング不可能な範囲ｂよりも圧倒的に大きな割合を占めるのに対し、本発明の場合（図９）は、スキミング不可能な範囲ｂのほうがスキミング可能な範囲ａよりも圧倒的に大きな割合を占めるので、たとえスキミングにより磁気情報の不正取得が行なわれたとしても、本発明ではその被害を最小限に抑えることができる。
【００３５】
また、上記第１実施形態によれば、カード挿入口２２付近において、カード５０の挿入を検知するセンサ３１が搬送ローラ２４の位置に設けられていることから、カード挿入口２２からみてセンサ３１を搬送ローラ２４の奥に設けた場合に比べて、カード５０の間欠搬送が開始されるタイミングを早くすることができ、カード５０のスキミング可能領域ａを小さくすることができる。また一方で、カード挿入口２２からみてセンサ３１を搬送ローラ２４の手前に設けた場合に比べて、カード挿入部２１の長さ（図では左右方向の長さ）を抑制することができる。
【００３６】
図１０は、本発明の第２実施形態に係るカード処理装置の概略構造を示す図である。前述の第１実施形態では、カード挿入口２２付近にカード５０を検知するためのセンサ３１を設け、このセンサ３１がカード５０を検知したことに基づいて、搬送ローラ２４がカード５０を間欠搬送するようにしたが、第２実施形態では、センサ３１を設けずに、上位装置１０からの指令に基づいて搬送ローラ２４がカード５０を間欠搬送する。
【００３７】
図１０において、１００はカード処理装置、２００はＡＴＭの筐体、５０は図２に示したカード、２０はカード処理装置１００の本体、２１はカード挿入部、２２はカード挿入口、２４〜２７は搬送ローラ、３２〜３４はセンサ、２は磁気ヘッドであって、これらは図１で説明したものと同じであるので、ここでは詳細な説明は省略する。図１０の構成において、図１と相違する点は、図１のセンサ３１とシャッタ２３とが省略されていることである。但し、シャッタ２３は備わっていてもよい。また、カード処理装置１００のブロック図は、シャッタ用ソレノイド５が省略される以外は図３と同じであるので、これについても詳細な説明は省略する。
【００３８】
次に、図１０のカード処理装置１００の動作について説明する。全体の概略動作は、図４に示したフローチャートと変わりがない。すなわち、上位装置１０から処理開始の指令を受信すると（ステップＳ１）、処理装置１００はカード５０を取り込んで情報の読み取りを行い（ステップＳ２）、この処理が終わるとカード５０の排出処理を行う（ステップＳ３）。
【００３９】
図１１は、図４のステップＳ２における磁気カードの取込・読取処理の詳細な手順を示したフローチャートである。以下、この手順を説明する。制御部１は、図４のステップＳ１で上位装置１０から処理開始指令を受け取ると、直ちにモータ４を間欠的に正転駆動し、これによって搬送ローラ２４〜２７も間欠的に正回転する（ステップＳ５１）。すなわち、本実施形態では、図１３Ａ（ａ）のようにカード５０が挿入口２２へ挿入されるより前に、搬送ローラ２４〜２７が間欠駆動されている。このため、図１３Ａ（ｂ）のように、カード５０をカード挿入口２２から搬送ローラ２４の位置まで挿入すると、カード５０はカード挿入口２２へ挿入された直後から搬送ローラ２４により間欠的に搬送されながら、図１３Ａ（ｃ）のように、カード挿入部２１を介して本体２０の内部に取り込まれる。このとき、制御部１のモータ駆動回路からモータ４へは、例えば図１８（ａ）に示したような制御量（駆動電圧）が与えられ、これによって、モータ４は図１９（ａ）に示したような間欠回転動作を行なう。これについては、すでに述べたとおりである。
【００４０】
次に、センサ３３がＯＮしたかどうかを判定する（ステップＳ５２）。図１３Ｂ（ｄ）のように、カード５０がセンサ３３の位置まで搬送されると、センサ３３がカード５０を検知してＯＮとなり（ステップＳ５２：ＹＥＳ）、これに応答して、モータ４の駆動が間欠駆動から連続駆動に切り替えられ、モータ４は連続的に正転駆動される。これによって、搬送ローラ２４〜２７も連続的に正回転する（ステップＳ５３）。この結果、カード５０は、連続回転する搬送ローラ２５，２６によって、図１３Ｂ（ｅ）のように、図の左方向に連続的に搬送されて行く。そして、図１３Ｂ（ｆ）のように、カード５０が磁気ヘッド２の位置へ至ると、磁気ヘッド２によってカード５０の磁気情報（磁気ストライプ５１に記録されている情報）の読み取りが開始される（ステップＳ５４）。
【００４１】
その後、カード５０は図１３Ｃ（ｇ）のように、搬送ローラ２６，２７によって連続的に搬送されて行き、この搬送過程でカード５０の磁気情報が磁気ヘッド２により読み取られる。一方、制御部１はセンサ３４がＯＮしたか否かを判定する（ステップＳ５５）。図１３Ｃ（ｈ）のように、カード５０がセンサ３４の位置まで搬送されると、センサ３４がカード５０を検知してＯＮとなり（ステップＳ５５：ＹＥＳ）、これに応答して、磁気ヘッド２による磁気情報読み取りは終了する（ステップＳ５６）。また、制御部１はセンサ３４がＯＮしたことで、カード５０がカード処理装置１００の奥まで搬送されたと判断し、モータ４を停止させる。これによって、搬送ローラ２４〜２７の回転も停止される（ステップＳ５７）。
【００４２】
以上のように、図１１の手順においては、カード挿入口２２と隣接して設けた搬送ローラ２４により、カード挿入とほぼ同時にカード５０を間欠搬送するようにしているので、図９の場合と同様に、カード挿入口２２に偽読取装置ＳＫが取り付けられていても、カード挿入時に偽読取装置ＳＫの磁気ヘッドＨによってスキミングされる情報は、カード５０が搬送ローラ２４に達するまでに読み取られる情報、すなわち、磁気ストライプ５１上のａの範囲に記録されているわずかな情報のみであり、範囲ｂに記録されている大部分の情報はスキミングされない。このため、カード５０が有効データの少ないカードであっても、カード挿入時のスキミングを極力防止することができる。
【００４３】
また、図１１の手順においては、カード５０をカード処理装置の本体２０の内部に取り込む過程で、カード挿入口２２から挿入されたカード５０を最初は間欠的に搬送し、カード５０が本体２０内部のセンサ３３の位置まで搬送された後は、カード５０を連続的に搬送するようにしている。ここで、センサ３３の位置を、カード５０の磁気情報がスキミングされるおそれのない限界位置、すなわち、偽読取装置ＳＫによってカード５０の磁気情報を正常に取得できなくなるまでカード５０がカード挿入部２１に取り込まれたときの当該カード５０の先端（左端）位置に設定しておくと、磁気情報のスキミングのおそれがある状態では、カード５０を間欠的に搬送してスキミングを防止し、磁気情報のスキミングのおそれがない状態では、カード５０を連続的に搬送して、高速で本体２０内部に取り込むことができる。
【００４４】
なお、モータ４の駆動を停止した後、制御部１は、磁気ヘッド２がカード５０から読み取った情報を通信部６を介して上位装置１０へ送信する。上位装置１０では、受信したカード情報に基づいて所定の取引処理（例えば現金引出し）が行われる。そして、取引処理が終了すると、上位装置１０は処理の終了をカード処理装置１００へ通知する。この通知を通信部６が受信すると、制御部１は、カード５０の排出処理（図４のステップＳ３）を以下に説明する手順に従って実行する。
【００４５】
図１２は、図４のステップＳ３における磁気カードの排出処理の詳細な手順を示したフローチャートである。排出処理が開始されると、制御部１はモータ４を連続的に逆転駆動し、これによって搬送ローラ２４〜２７も連続的に逆回転する（ステップＳ７１）。搬送ローラ２４〜２７が逆回転することによって、図１４Ａ（ａ）の位置（図１３Ｃ（ｈ）と同じ位置）にあったカード５０は、図１４Ａ（ｂ）のように、搬送ローラ２６，２７によって右方向に連続的に搬送されて行く。次に、センサ３２がＯＮしたか否かを判定する（ステップＳ７２）。図１４Ａ（ｃ）のように、カード５０の先端（右端）がセンサ３２の位置に至ると、センサ３２がカード５０を検知してＯＮとなる（ステップＳ７２：ＹＥＳ）。
【００４６】
センサ３２がＯＮとなったことに応答して、モータ４の駆動が連続駆動から間欠駆動に切り替えられ、モータ４は間欠的に逆転駆動される。これによって、搬送ローラ２４〜２７も間欠的に逆回転する（ステップＳ７３）。この結果、カード５０は、図１４Ｂ（ｄ）のように、間欠回転する搬送ローラ２４，２５によって図の右方向に間欠的に搬送されながら、カード挿入口２２へ搬送されて行く。このときのモータ４の駆動は、前述した図１８（ａ）および図１９（ａ）と同じ態様で行われる。
【００４７】
ステップＳ７３で搬送ローラの間欠回転が開始された後、制御部１はセンサ３２がＯＦＦしたか否かを判定する（ステップＳ７４）。図１４Ｂ（ｅ）のように、カード５０の後端（左端）がセンサ３２の位置を通過すると、センサ３２はＯＦＦとなる（ステップＳ７４：ＹＥＳ）。センサ３２がＯＦＦになると、続いて制御部１は、所定時間が経過したかどうかを監視する（ステップＳ７５）。この間は、ステップＳ７３での搬送ローラ２４の間欠駆動が継続されており、したがって、カード５０は搬送ローラ２４により間欠的に搬送されながら、カード挿入口２２から外部に排出されてゆく。そして、所定時間が経過すると（ステップＳ７５：ＹＥＳ）、制御部１はモータ４を停止して、搬送ローラ２４〜２７の回転を停止する（ステップＳ７６）。これにより、カード５０は、図１４Ｂ（ｆ）のように、後端が一対の搬送ローラ２４により保持された状態で、カード挿入口２２から返却される。以上で、カード５０を用いたＡＴＭでの一連の取引処理は完了する。
【００４８】
以上のように、図１２の手順においては、カード挿入口２２と隣接して設けた搬送ローラ２４により、カード５０をカード挿入口２２からほぼ排出し終わるまで、間欠搬送するようにしているので、図９に示したように、カード挿入口２２に偽読取装置ＳＫが取り付けられていても、カード排出時に偽読取装置ＳＫの磁気ヘッドＨによってスキミングされる情報は、カード５０が搬送ローラ２４から離れた後に読み取られる情報、すなわち、磁気ストライプ５１上のａの範囲に記録されているわずかな情報のみであり、範囲ｂに記録されている大部分の情報はスキミングされない。このため、カード５０が有効データの少ないカードであっても、カード排出時のスキミングを極力防止することができる。
【００４９】
また、図１２の手順においては、カード５０を排出する過程で、カード５０がセンサ３２の位置へ搬送されるまでは、カード５０を連続的に搬送し、カード５０がセンサ３２の位置まで搬送された時点から、カード５０を間欠的に搬送するようにしている。このため、カード５０の間欠搬送によってスキミングを防止しつつ、カード５０の連続搬送によってカード排出までの時間を短縮することができる。
【００５０】
このようにして、第２実施形態によれば、カード挿入部２１の存在によりカード挿入口２２から搬送ローラ２５までに距離がある場合でも、カード挿入口２２と隣接して設けた搬送ローラ２４によって、カード挿入とほぼ同時にカード５０の間欠搬送を開始することができるので、カード５０が搬送ローラ２５に至ってから間欠搬送を開始する従来のものと比べて、スキミングをより効果的に防止することができる。また、カード５０の磁気情報がスキミングされたとしても、図９と図２２とを比較してすでに説明したように、本発明ではスキミングされる情報はわずかなので、被害を最小限に抑えることができる。
【００５１】
また、第２実施形態によれば、上位装置１０からの指令に基づいて、搬送ローラ２４によるカード５０の間欠搬送が行われるので、第１実施形態のようなカード挿入口２２付近のセンサ３１が不要となり、その分コストダウンを図ることができる。
【００５２】
図１５は、本発明の第３実施形態に係るカード処理装置の概略構造を示す図である。図１５では、図１と同一部分には同一符号を付してある。図１５のカード処理装置１００が図１のそれと相違する点は、カード挿入部２１において、センサ３１のほかに、磁気ストライプ検出センサ４１が設けられていることである。この磁気ストライプ検出センサ４１は、本発明における判別手段の一実施形態を構成する。その他の部分については、図１の場合と同一であるので、図１５の詳細な説明は省略する。
【００５３】
第３実施形態では、磁気ストライプ検出センサ４１によって、挿入されるカード５０が磁気カードか否かを判別するようにしている。磁気ストライプ検出センサ４１は、磁気ヘッドから構成されており、カード５０が磁気カードである場合は、磁気ストライプの磁気情報を読み取って読取信号を出力するが、カード５０が磁気カードでない場合は、磁気情報を読み取ることができず、読取信号を出力しない。したがって、センサ４１の読取信号の有無により、カード５０が磁気カードであるか否かを判別することができる。なお、センサ４１は磁気カードの挿入を検知する機能も備えているので、本実施形態では、センサ３１を省略することも可能である。
【００５４】
図１６は、図１５のカード処理装置１００の概略動作を示したフローチャートである。ここでも、図４の場合と同様に、上位装置１０がＡＴＭであって、カード処理装置１００はこのＡＴＭに搭載されているものとする。ＡＴＭにおいてカード５０による取引を行う場合、利用者が接客パネルで所定の操作をすると、上位装置１０からカード処理装置１００の通信部６へ取引開始信号が送信され、これにより、カード処理装置１００はカードの処理を開始する。最初に、カード挿入口２２にカード５０が挿入されると（ステップＳ１０１）、磁気ストライプ検出センサ４１の出力に基づいて、カード５０が磁気カードか否かを判定する（ステップＳ１０２）。カード５０が磁気カードの場合は（ステップＳ１０２：ＹＥＳ）、ステップＳ１０３へ進んで磁気カードの取込・読取処理が行われ、この処理が終わると、続いて磁気カードの排出処理が行われる（ステップＳ１０４）。ステップＳ１０３，Ｓ１０４の詳細手順は図５，図６と同様であるので、これらについての説明は省略する。一方、カード５０が磁気カードでない場合は（ステップＳ１０２：ＮＯ）、そのまま終了するか、もしくは、搬送ローラ２４を逆転してカード５０を返却する。
【００５５】
上述した第３実施形態によると、第１および第２実施形態と同様にスキミングを有効に防止できるとともに、カード５０をカード処理装置１００の内部に取り込む前に、カード５０が磁気カードか否かを判別し、磁気カードである場合にのみカード５０を取り込むようにしているので、磁気カード以外のカードや異物などを誤って取り込むおそれがなく、カード処理装置１００の内部でカードが詰まったり、搬送機構や磁気ヘッド２などが損傷を受けるのを未然に防止することができる。
【００５６】
本発明では、以上述べた実施形態以外にも、種々の実施形態を採用することができる。例えば、前記第１実施形態（図１）においては、センサ３１を搬送ローラ２４と同じ位置に設けたが、センサ３１の位置は搬送ローラ２４の近傍であれば特に限定はされず、例えば図１７に示すように、センサ３１を搬送ローラ２４よりシャッタ２３側の位置に設けてもよい。
【００５７】
また、以上述べた実施形態では、カード５０の取り込み時において、センサ３３がＯＮとなった時点から、カード搬送を間欠搬送から連続搬送へ切り替えたが（図５のステップＳ１４〜Ｓ１５、図１１のステップＳ５２〜Ｓ５３）、これに代えて、センサ３１がＯＦＦになった時点、あるいはセンサ３２がＯＦＦになった時点から、カード搬送を間欠搬送から連続搬送へ切り替えるようにしてもよい。
【００５８】
また、第１実施形態では、カード５０の排出時において、センサ３１がＯＮとなった時点から、カード５０の搬送を連続搬送から間欠搬送へ切り替えたが（図６のステップＳ３４〜Ｓ３５）、これに代えて、センサ３３がＯＦＦになった時点から、カード５０の搬送を間欠搬送から連続搬送へ切り替えるようにしてもよい。
【００５９】
また、第２実施形態では、カード５０の排出時において、センサ３２がＯＮとなった時点から、カード５０の搬送を連続搬送から間欠搬送へ切り替えたが（図１２のステップＳ７２〜Ｓ７３）、これに代えて、センサ３２がＯＮとなった時点からタイマをスタートさせ、カード５０の先端（右端）がセンサ３２の位置からカード挿入口２２へ至るまでの時間に相当するタイマ時間が経過した時点で、カード５０の搬送を連続駆動から間欠駆動に切り替えるようにしてもよい。
【００６０】
また、以上述べた各実施形態では、カード５０の間欠搬送を行う方式として、図１８（ａ）および図１９（ａ）の例を挙げたが、これに代えて、図１８（ｂ）〜図１８（ｄ）のような制御量（駆動電圧）をモータ４に与えることにより、それぞれに対応して、図１９（ｂ）〜図１９（ｄ）のようなモータ４の間欠回転動作が行われるようにしてもよい。図１９（ｂ）では、モータ４は、１単位時間の間に２単位回転量だけ正回転して、次の１単位時間の間は１単位回転量だけ逆回転し、この動作が反復される。図１９（ｃ）では、モータ４は、１単位時間の間に２単位回転量だけ正回転して、次の１単位時間の間は停止し、その次の１単位時間の間は１単位回転量だけ逆回転し、さらにその次の１単位時間の間は停止し、この動作が反復される。図１９（ｄ）は、図１９（ａ）において回転期間と停止期間とを不規則にして、ランダムに回転と停止とを繰り返すようにしたものである。この他、図１９（ｂ），（ｃ）において、回転期間と停止期間とを不規則にして、ランダムに回転と停止とを繰り返すようにしてもよい。
【００６１】
また、以上述べた各実施形態では、カード５０の位置を検出する位置検出手段として、フォトマイクロセンサから構成されるセンサ３１〜３４を設けた例を挙げたが、位置検出手段としては、例えば搬送ローラ２４〜２７やモータ４の回転量に応じた信号を出力するロータリーエンコーダを用いてもよい。この場合は、ロータリーエンコーダの出力信号から搬送ローラまたはモータの回転量を演算し、演算した回転量からカード５０の位置を検出することができる。また、位置検出手段としては、上述したセンサやロータリーエンコーダに代えて、タイマと演算器とを用いることも可能である。この場合は、タイマの計測時間およびカードの搬送速度に基づいて、演算器でカードの移動距離を演算し、演算した移動距離からカードの位置を検出すればよい。
【００６２】
さらに、以上述べた各実施形態では、カード処理装置１００をＡＴＭに搭載した場合を例に挙げたが、本発明のカード処理装置は、ＡＴＭ以外にも、例えばＣＤ（現金自動支払機）、自動券売機、物品販売機など各種の機器に搭載することができる。
【図面の簡単な説明】
【００６３】
【図１】本発明の第１実施形態に係るカード処理装置の概略構造図である。
【図２】磁気カードを示す図である。
【図３】カード処理装置の電気的構成を示すブロック図である。
【図４】カード処理装置の概略動作を示すフローチャートである。
【図５】カードの取込・読取処理の詳細手順を示したフローチャートである。
【図６】カードの排出処理の詳細手順を示したフローチャートである。
【図７Ａ】カードの取込・読取の動作を説明する図である。
【図７Ｂ】カードの取込・読取の動作を説明する図である。
【図７Ｃ】カードの取込・読取の動作を説明する図である。
【図８Ａ】カードの排出の動作を説明する図である。
【図８Ｂ】カードの排出の動作を説明する図である。
【図９】本発明におけるスキミングを説明する図である。
【図１０】本発明の第２実施形態に係るカード処理装置の概略構造図である。
【図１１】カードの取込・読取処理の詳細手順を示したフローチャートである。
【図１２】カードの排出処理の詳細手順を示したフローチャートである。
【図１３Ａ】カードの取込・読取の動作を説明する図である。
【図１３Ｂ】カードの取込・読取の動作を説明する図である。
【図１３Ｃ】カードの取込・読取の動作を説明する図である。
【図１４Ａ】カードの排出の動作を説明する図である。
【図１４Ｂ】カードの排出の動作を説明する図である。
【図１５】本発明の第３実施形態に係るカード処理装置の概略構造図である。
【図１６】カード処理装置の概略動作を示すフローチャートである。
【図１７】センサ位置の他の例を示す概略構造図である。
【図１８】モータに与える制御量の例である。
【図１９】モータの間欠回転動作を説明する図である。
【図２０】従来のカード処理装置の概略構造図である。
【図２１】カードの記録情報を説明する図である。
【図２２】従来におけるスキミングを説明する図である。
【符号の説明】
【００６４】
１    制御部
２    磁気ヘッド
３    センサ
４    モータ
６    通信部
１０  上位装置
２０  カード処理装置の本体
２２  カード挿入口
２４〜２７  搬送ローラ
３１〜３４  カード検出センサ
４１  磁気ストライプ検出センサ
５０  カード
５１  磁気ストライプ
１００  カード処理装置
ＳＫ  偽読取装置
Ｈ  磁気ヘッド
【図１】
0004680048.tif 000002
【図２】
0004680048.tif 000003
【図３】
0004680048.tif 000004
【図４】
0004680048.tif 000005
【図５】
0004680048.tif 000006
【図６】
0004680048.tif 000007
【図７Ａ】
0004680048.tif 000008
【図７Ｂ】
0004680048.tif 000009
【図７Ｃ】
0004680048.tif 000010
【図８Ａ】
0004680048.tif 000011
【図８Ｂ】
0004680048.tif 000012
【図９】
0004680048.tif 000013
【図１０】
0004680048.tif 000014
【図１１】
0004680048.tif 000015
【図１２】
0004680048.tif 000016
【図１３Ａ】
0004680048.tif 000017
【図１３Ｂ】
0004680048.tif 000018
【図１３Ｃ】
0004680048.tif 000019
【図１４Ａ】
0004680048.tif 000020
【図１４Ｂ】
0004680048.tif 000021
【図１５】
0004680048.tif 000022
【図１６】
0004680048.tif 000023
【図１７】
0004680048.tif 000024
【図１８】
0004680048.tif 000025
【図１９】
0004680048.tif 000026
【図２０】
0004680048.tif 000027
【図２１】
0004680048.tif 000028
【図２２】
0004680048.tif 000029